(57)【要約】      （修正有）【課題】想定高さより高い津波が発生しても、避難者の安全を守ることができる津波避難用タワーを提供する。【解決手段】基礎構造体５と基礎構造体５の上面に連結設置した避難室６とからなる津波避難用タワー１において、水上浮上補助装置１０を設置した避難室６を基礎構造体上面に固定・切り離し構造で連結設置し、避難室６より高い津波が発生した場合は、避難者が避難している避難室６を基礎構造体から切り離し、水上に浮上することにより、避難者の安全を守る構造とした。【選択図】図１
0003177707.tif 000002
【実用新案登録請求の範囲】
【請求項１】
地盤２上に複数本の支柱３と横枠４で相互に連結された基礎構造体５と、該基礎構造体に一体連結された想定津波高さより高所に設置された避難室６と、該避難室６の周囲端部に設置された安全柵７と、該地盤・該避難室間の昇降設備８とからなる津波避難用タワーにおいて、該基礎構造体５と該避難室６が固定・切り離し構造９で、該避難室６が下面部に水上浮上補助装置１０を設置している構造であることを特徴とする浮上式津波避難用タワー。
【請求項２】
前記基礎構造体５と前記避難室６の前記固定・切り離し構造９が荷締機構造あるいは貫抜構造あるいは丸落し構造あるいは掛金構造あるいはボルト・ナット構造等であることを特徴とする請求項１記載の浮上式津波避難用タワー。
【請求項３】
前記避難室６の下面部に設置されている前記水上浮上補助装置１０が合成樹脂（プラスチック）あるいは強化プラスチックあるいは繊維強化プラスチック（ＦＲＰ）あるいは発泡スチロール等からなる平板状体或いは球型・角型等のエアタンク構造であることを特徴とする請求項１または請求項２記載の浮上式津波避難用タワー。
【請求項４】
前記避難室６が下面部に複数の隅部近傍に連結鎖を介して錨１１が設置された構造であることを特徴とする請求項１または請求項２または請求項３記載の浮上式津波避難用タワー。
【請求項５】
前記避難室６が流動方向制御及び転倒防止用の方向制御用ダンパー１２が設置された構造であることを特徴とする請求項１または請求項２または請求項３または請求項４記載の浮上式津波避難用タワー。
【請求項６】
前記避難室６が、バネピン式の安全帯に連結可能構造の避難者の転倒防止用手摺１３が設置されていることを特徴とする請求項１または請求項２または請求項３または請求項４または請求項５記載の浮上式津波避難用タワー。
【請求項７】
前記避難室６が避難時に利用される簡易トイレ、食料・飲料水保管庫、テント・毛布・ヘルメット・懐中電灯保管庫、照明装置、医薬品保管庫、簡易キッチン、救命ボート・救命胴衣保管庫及び発電機装置等が設置された構造であることを特徴とする請求項１または請求項２または請求項３または請求項４または請求項５または請求項６記載の浮上式津波避難用タワー。
【考案の詳細な説明】
【技術分野】
【０００１】    本考案は、地震等による津波発生時に、緊急に避難する津波避難用タワーに関し、よ    り詳しくは、想定高さより高い津波が発生した場合は、上部の避難室を切り離して水    上に浮上させ避難者の安全を守る浮上式津波避難用タワーに関する。
【背景技術】
【０００２】    日本は世界でも有数の地震国であり、度々地震による被害を被っていた。
地震による被害には、家屋の倒壊など地震そのものによる被害と併せて地震により発生した津波による被害も多くあった。【０００３】    現状では、津波が発生したときは、自治体等が予め指定した高所や高台にある学校・公民館等の避難施設や、昇降設備のある津波避難用タワー等に避難するのが一般的であった。【０００４】    しかしながら、避難施設が遠く離れている場合は、津波の進行速度は非常に早いため避難が間に合わないおそれがあり、さらに津波避難用タワーの高さは固定されているので想定された高さを超える津波が発生した場合には、津波による被害を防げないという大きな問題があった。【０００５】    これらの問題を解決するために、地中に固定された支柱に連結した油圧シリンダーの駆動により避難台を昇降させる技術（例えば、特許文献１参照）が提案されているが、昇降可能高さを超える津波が発生した場合は対策としては不十分である。【０００６】    さらに、避難者を収容した浮体を地中に固定したポールに沿って昇降させ、水の流れに応じて浮体がポールの外周面に沿って回転できる技術（例えば特許文献２参照）も提案されているが、浮体の可動範囲がポールの外周面のみに限定されているので、大きくて危険状態の漂流物等への衝突等に対する対策は不十分である。
【先行技術文献】
【特許文献】
【０００７】
【特許文献１】  特開２００６−１１２０８８  公報
【特許文献２】  特開２００８−１７４９１９  公報
【考案の概要】
【考案が解決しようとする課題】
【０００８】    本考案は、これらの課題を解決するために為されたものであり、津波避難用タワーに避難時に、想定高さより高い津波が発生しても、避難者の安全を守ることが可能な構造の浮上式津波避難用タワーを提供することを目的とする。
【課題を解決するための手段】
【０００９】    本考案の浮上式津波避難用タワーは、地盤上に複数の支柱と横枠で相互に連結された基礎構造体と想定される津波高さより高所の基礎構造体上部に設置された避難室と避難室の周囲端部に設置された安全柵と地盤上面・避難室間の昇降装置とからなる津波避難用タワーにおいて、基礎構造体と避難室が固定・切り離し式構造とし、さらに避難室下面部に水上浮上補助装置を設置している構造とすることを特徴とする。【００１０】    このような構造であるので、基礎構造体と避難室の固定・切り離し構造と避難室下面部面に水中浮上補助装置を設置するという簡単な構成であるので、設置場所は限定されることはなく、設置費用も比較的安価に設置することも可能である。
【考案の効果】
【００１１】    津波が発生して避難してきた避難者を収容した避難室は、基礎構造体とは簡単操作の固定・切り離し構造で連結されているので、避難室高さより高い津波が発生した場合は基礎構造体から簡単に切り離すことができる。【００１２】    そして、避難者を収容した避難室は、下面部に簡単操作の水上浮上補助装置が設置されているので、避難室高さより高い津波が発生し、基礎構造体から切り離された場合は水上に浮上することができる。【００１３】    また、避難者を収容した避難室は、下面部の複数の隅部近傍に連結鎖を介して錨が設置されているので、津波の流水方向に応じて錨を落下させ、錨の連結鎖により、大きくて危険状態の漂流物等の衝突等により水中へ引き込まれるのを防ぐことができる。【００１４】    なお、錨の連結鎖に漂流物等が絡み付いた場合は、錨の連結鎖を切断し、次の錨を落下させることにより、さらに必要であれば、この錨落下及び錨連結鎖切断の操作を繰り返すことにより、避難者を収容した避難室が水上で安定浮上をすることができる。【００１５】    さらに、避難者を収容して水上に浮上した避難室は、流動方向制御及び転倒防止用の方向制御ダンパーが設置されているので、水上浮上移動状態になっても、漂流物等に衝突することなく安全に水上浮上することができる。【００１６】    避難者を収容して水上に浮上した避難室は、避難者の転落防止用の安全柵及び転倒防止用の手摺が設置されているので、揺れ等による転落及び転倒を防止できる。【００１７】    避難者を収容して水上に浮上した避難室は、飲料水、食料品、ヘルメット、救命ボート、医薬品、懐中電灯等の避難用品を収容した避難用品保管庫や簡易トイレ、簡易キッチン、発電機装置等が設置されているので、緊急事態への対応もできる。
【図面の簡単な説明】
【００１８】
【図１】  本考案の浮上式津波避難用タワーの一実施例の模式図を示す。
【図２】  本考案の浮上式津波避難用タワーの一実施例の正面図を示す。
【図３】  本考案の浮上式津波避難用タワーの一実施例の平面図を示す。
【考案を実施するための形態】
【００１９】    本考案の浮上式津波避難用タワーは、地盤上に複数本の支柱と横枠で相互に連結された基礎構造体と基礎構造体の想定津波高さより高所に固定・切り離し構造に設置された水上浮上補助装置を有する構造の避難室とからなる。
【００２０】    本考案の浮上式津波避難用タワーの基礎構造体は、面積及び重量に応じてＨ型鋼やチャンネル鋼等の複数本の鋼材を縦横に組み合わせて形成しているが、動かないように地盤上に固定されていれば特に限定されない。
【００２１】    また、本考案の浮上式津波避難用タワーの避難室は、合成樹脂（プラスチック）製エアタンク等の水上浮上補助装置を設置した金属及び合成樹脂（プラスチック）等の水密性の平板状材を基礎構造体の上面に荷締機構造等の固定・切り離し構造に連結設置して形成されている。
【００２２】    なお、水上浮上補助装置は必要とされる強度や機能を有するものであれば、また、固定・切り離し構造についても操作性に問題がなければ特に限定されない。
【実施例】
【００２３】    本考案の浮上式津波避難用タワーの実施例を、図面を参照して説明する。【００１７】    図１は本考案の浮上式津波避難用タワー１の一実施例の模式図を示す。図２は図１に示す浮上式津波避難用タワーの正面図であり、図３は図１に示す浮上式津波避難用タワーの平面図である。【００１８】    図１に示すように、地盤２上に打ち込まれた支柱３と横枠４とからなる基礎構造体５は地盤上にて避難室６を支持するためのものであって、支柱３と横枠４の本数は基礎構造体５及び避難室６の面積及び重量に応じて増減することが可能で、特に限定されるものではない。【００１９】    支柱３は地盤中の安定層に達する深さまで打ち込まれていれば、安定に立設されるので、地震等によっても、基礎構造体５が簡単に倒壊することはない。【００２０】    津波が発生した場合に避難する避難者を収納する避難室６は、想定津波高さより高所の基礎構造体５の上面に、簡単操作の荷締機構造等の固定・切り離し構造に設置されているので、避難室より高い津波が発生した場合は、基礎構造体５から切り離すことができる。【００２１】    なお、固定・切り離し構造は荷締機構造に限定されるものではなく貫抜構造、丸落とし構造、掛金構造、ボルト・ナット構造等操作性に問題がなければ採用することができる。【００２１】    そして、避難室６は、下面部に簡単操作の合成樹脂（プラスチック）等からなるエアタンク構造等の水上浮上補助装置９が設置されているので、避難室６より高い津波が発生して基礎構造体５から切り離しても水上に浮上することができる。【００２１】    なお、水上浮上補助装置９は合成樹脂（プラスチック）からなるエアタンク構造に限定されるものではなく、材質については強化プラスチック、繊維強化プラスチック（ＦＲＰ）、発泡スチロール及び金属等でも、形状については平板状体及び、球型・角型等のタンク構造等でも必要とされる強度及び水上浮上補助作用を有するものであれば採用することができる。【００２２】    また、避難室６は、下面部に複数の隅部に連結鎖を介して錨が設置されているので、津波の流水方向に応じて、錨を落下させて、錨の連結鎖により、大きな危険状態の漂流物等との衝突等により水中に引き込まれるのを防ぐことができる。【００２３】    なお、錨の連結鎖に漂流物等が絡み付いた場合は、錨の連結鎖を切断し、次の錨を落下させ、さらに必要であれば、この錨落下及び連結鎖切断の操作を繰り返すことにより、避難者を収容した避難室６が水上で安定浮上をすることができる。【００２４】    そして、避難室６は、流動方向制御及び転倒防止用の方向制御用ダンパーが設置されているので、水上浮上移動状態になっても、漂流物等に衝突することなく、安全に水上浮上することができる。【００２５】    さらに、避難者を収容して水上に浮上した避難室６には、避難者の転落防止用の安全柵及びバネピン式の安全帯に連結可能構造の転倒防止用手摺が設置されているので、揺れ等による転落及び転倒を防止できる。【００２６】    そして、避難者を収容して水上に浮上した避難室６は、避難時に利用される飲料水、食料品、ヘルメット、救命ボート、医薬品、懐中電灯等の避難用品を収納した避難用品保管庫や簡易トイレ、簡易キッ��ン、発電機装置等が設置されているので、緊急事態への対応もできる。
【産業上の利用可能性】
【００２７】    本考案は、地震等に伴って発生する津波から避難するための避難所として利用することができる。
【符号の説明】
【００２５】  １  浮上式津波避難用タワー
２  地盤
３  支柱
４  横枠
５  基礎構造体
６  避難室
７  安全柵
８  昇降設備
９  固定・切り離し構造
１０  水中浮上補助装置
１１  錨
１２  方向制御用ダンパー
１３  転倒防止用手摺
【図１】
0003177707.tif 000003
【図２】
0003177707.tif 000004
【図３】
0003177707.tif 000005